Podtech/llm-jp-corpus-v4-ja_patent huggingface dataset:
(57)【要約】      （修正有）【課題】毎日使用している枕は各個人に安らぎを与える最良な物で有るべきであるが多くの人が高さ硬度に満足していないのが実情である、これらを改善する枕を提供する。【解決手段】高さを調整することが可能な長方形の枕であって、前記枕は、上部空気拡張袋５の上部に上部クッションを設け、下部空気拡張袋７の下部に下部クッション８を設け、上部及び下部空気拡張袋の一端部に空気送風配管を設け、空気送風配管の末端部に空気取り入れ口を設け、前記空気送風配管の途中に空気調整弁２を設けており、上部空気拡張袋と下部空気拡張袋の間に中心部クッション６を設け、全体を化学繊維で包みこまれている。【選択図】図４
0003224938.tif 000002
【実用新案登録請求の範囲】
【請求項１】
本体には上部に調整用クッション、中央部には中心部クッション、下部には下部クッション、を設け調整部には本体の片側側面に連通して調整弁と空気送風部を設け、前記本体を布または化学繊維布で包んだことを特徴とする枕。
【請求項２】
前記空気拡張袋は上部空気拡張袋、下部空気拡張袋の２個の部屋に分割されている事を特徴とする請求項１に記載の枕。
【考案の詳細な説明】
【技術分野】
【０００１】枕は上部に調整用クッション材（交換用）を数種用意し、空気圧縮装置は上下部空気拡張袋に送られ、上部空気拡張袋は頭の形に合うように調整され、下部空気拡張袋は高さ調整用として空気が送られ送風は手動方式とし、中央部は上部の調整用クッション材より固めの樹脂材、下部には安定材として固めの樹脂材を装備して５層構造とし最良の睡眠を約束する枕に関するものである。
【背景技術】
【０００２】毎日使用している枕は各個人に安らぎを与える最良な物で有るべきであるが、多くの人が満足していない、高価な枕、安い枕と色々試すがいまだに満足していない人が多い、これらを解決するものである。
【先行技術文献】
【特許文献】
【０００３】
【特許文献１】特開２０１９−５１４０７号公報
【特許文献２】特開２０１９−５８６９５号公報
【考案の概要】
【考案が解決しようとする課題】
【０００４】市販の枕は多種多様で選択が難しい、色々購入するがどれも多くの人は満足できず安眠出来ていないのが現状である、特許文献１の特開２０１９−５１４０７号公報は空気で枕の高さを調整するが後頭部の首に近い方のみ上下して後頭部は調整されず寝ている間に首がいたくなる、又、アロマ材を入れ安眠の手助けでは枕が合わない人には全く無意味であり、この公報は頭全体の微調整は不可能で片寄枕となり問題である。特開２０１９−５８６９５号公報の枕はビーズの入れ替えで微調整する方式であるがビーズの量と入れる位地でなかなか頭に合わず多くの人が購入後使用していないのが現状で微調製は困難であり問題である、それらの欠点を解決しようとするものである。
【課題を解決するための手段】
【０００５】上部に厚みの異なる数種の調整用クッション４、又、中央に送風部を設け空気を微調整し空気拡張袋５，７、の間には中心部クッション６、を設け、下部には下部クッション８、で各層頭の安定化を図り、これ等を布または化学繊維布で包んだ枕で、空気拡張袋５，７、は上下２個の部屋に分割され圧力を分散し、頭の高さを微調整する、又、厚みの異なる調整用クッション４、を装備し頭の高さと柔軟性を微調整する事で、この考案によって問題が解決される。
【考案の効果】
【０００６】上部に厚みの異なる調整用クッション４、を設け空気拡張袋５，７、は２個の部屋に分かれて枕の高さを可変し最適な状態で使用する事が出来、この考案の効果はある。
【図面の簡単な説明】
【０００７】  空気圧縮装置（図２の２，３）を備えた枕の外観図と構造図である。
【図１】は斜視図、
【図２】上部空気拡張袋５、下部空気拡張袋７、の空気を抜いた状態の断面図
【図３】空気を上部空気拡張袋５、下部空気拡張袋７、に満杯に入れた状態の断面図
【図４】数種のクッション４−１から４−３と枕の断面図
【図５】上部空気拡張袋５、下部空気拡張袋７、と空気調整弁２、空気送風部３、が接合されている斜視図。
【考案を実施するための形態】
【０００８】以下、本発明の実施の形態を説明する。
本発明は枕の内部に上部空気拡張袋５，下部空気拡張７、を設け、空気調整弁２、と空気送風部３、により空気を上部空気拡張袋５、下部空気拡張７、に送られ枕は拡張され高さが微調整される枕。
（イ）枕に空気を送る空気送風部３、と空気量を調整する空気調整弁２、により上部空気拡張袋５、と下部空気拡張袋７、に空気を送る。
（ロ）上部空気拡張袋５、に接して調整用クッション４、は概ね頭の高さに調整され主にウレタン系の素材で硬さの異なる３〜４種ほど取り揃え対応する。
（ハ）下部クッション８、は枕の底部に設け枕を安定させる為、他より厚めで硬めの材料とし最重要な部位で有る。
（二）中心部には中心部クッション６、を設け枕の芯となり中心の部位として重要な素材で硬さも必要で有る。
（ホ）以上の各部位を枕の外観部１、でまとめ枕一対としている。
【実施例】
【０００９】枕は空気調整弁２、と空気送風部３、を取り付け調整用クッション４、を選定し枕に挿入した後、頭を枕に置き空気送風部３、より空気を送り頭の高さを確認する、大幅に差が有る場合は空気調整弁２、で空気を抜き、調整用クッション４、を再度組み換えして枕に頭を乗せ空気送風部３、により空気を送り高さを微調整して初期には念入りに微調整する、あとは寝てみて一番安定した状態にして使用し一度安定すれば枕の変化は殆どない状態で毎日使用出来る。
【符号の説明】
【００１０】１、枕の外装部
２、空気調整弁
３、空気送風部
４、調整用クッション（４−１〜４−３）
５、上部空気拡張袋
６、中心部クッション
７、下部空気拡張袋
８、下部クッション
【図１】
0003224938.tif 000003
【図２】
0003224938.tif 000004
【図３】
0003224938.tif 000005
【図４】
0003224938.tif 000006
【図５】
0003224938.tif 000007
【手続補正書】
【提出日】令和1年11月6日(2019.11.6)
【手続補正１】
【補正対象書類名】実用新案登録請求の範囲
【補正対象項目名】全文
【補正方法】変更
【補正の内容】
【実用新案登録請求の範囲】
【請求項１】
高さを調整することが可能な長方形の枕であって、前記枕は、上部空気拡張袋の上部に上部クッションを設け、下部空気拡張袋の下部に下部クッションを設け、上部及び下部空気拡張袋の一端部に空気送風配管を設け、空気送風配管の末端部に空気取り入れ口を設け、前記空気送風配管の途中に空気調整弁を設けており、上部空気拡張袋と下部空気拡張袋の間に中心部クッションを設け、全体を化学繊維で包みこまれていることを特徴とする枕。
【請求項２】
上部クッションは頭をソフトに包むため樹脂からなり、また、空気調整弁は頭の高さを微妙に調整できるガス栓ほどの大きさであることを特徴とする請求項１に記載の枕。
(57)【要約】      （修正有）【課題】揚げ物等フライパンその他の容器を使う作業において、金網又は既製のアルミ箔を使い油の飛散を防止しているが、油はレンジ周り、壁、床などに油が飛散しているこの油の飛散を防止する油飛散防止器具を提供する。【解決手段】油飛散防止器具において調理器具５に鉄板付きクリップ４を付属し家庭用市販のアルミホイル２を磁石１により挟み調理器具内に飛散油７を落とす。【選択図】図６
0003224936.tif 000002
【実用新案登録請求の範囲】
【請求項１】
調理器具の縁を把持する把持手段と、油飛散防止手段とからなる油飛散防止器具。
【請求項２】
前記把持手段は、鉄板付きクリップと複数個の磁石からなり、かつ前記油防止手段は、鉄板付きクリップの鉄板にアルミ箔を覆うように配置し、鉄板付きクリップの背面に耐熱材が接合され、  前記複数個の磁石により固定されている請求項１に記載の油飛散防止器具。
【考案の詳細な説明】
【技術分野】
【０００１】本発明は安価に目的を達成する為、家庭用市販のアルミ箔を採用し、鉄ナベその他のナベ類からの油飛散防止を行い、飛散した油は油層に落下し、油を循環させる油飛散防止器具である。
【背景技術】
【０００２】今までの油飛散防止器具はアルミの厚みが厚く自由度が損なわれる場合があり、容器から離れて取り付けられレンジ周りに油が飛散する。又、油汚れが落ちず不衛生であり、油の回収がない。この油飛散防止器具はこれらを解決するものである。
【先行技術文献】
【特許文献】
【０００３】
【特許文献１】特開２０１６−８３３２４号公報
【特許文献２】特開２０１２−１０７８５０号公報
【考案の概要】
【考案が解決しようとする課題】
【０００４】調理時に油の周辺への飛散防止用の用具は高額な物であり、又油が用具に付着したまま収納し不潔であり、油が付着したまま使用し不衛生の為問題が有る。特開２０１６−８３３２４号公報は、フライパンの上に金具を乗せる方式で揚げ物にさわる時があり不潔であり、又、油はレンジ周りに飛散する。又、特開２０１２−１０７８５０号公報は、特製アルミをレンジの周りに立て掛けて使用しる為油の飛散が多く、レンジの上にこぼれ、後始末が大変である。それらの欠点を解決しようとするものである。
【課題を解決するための手段】
【０００５】調理器具の縁を把持する把持手段と、油飛散防止手段とからなる油飛散防止器具の考案によって問題が解決される。
【考案の効果】
【０００６】今回の油飛散防止器具は家庭用市販のアルミ箔を磁石により挟み容器の大、小に関はらず装着でき取り扱いは簡単である、又家庭用市販のアルミ箔に飛散し付着した油が多い時には容器の内部に垂れ落ちる為レンジを汚す事はない、又家庭用市販のアルミ箔を使用しているので価格は安価で料理する度毎に新品と交換できいつも衛生的で優れている為大変効果がある。
【図面の簡単な説明】
【０００７】レンジ周りに飛散する油を家庭用市販アルミ箔で受け止める油飛散防止器具は図１〜図６で構成される。
【図１】この考案に係わる油飛散防止器具の一実施例を示す斜視図
【図２】図１の実施例の油飛散防止器具の使用状態を示す鉄板付きクリップと磁石の斜視図
【図３】図１の実施例の油飛散防止器具の使用状態を示す家庭用市販のアルミ箔の斜視図
【図４】図１の実施例の油飛散防止器具の使用状態を示す天ぷら油容器の斜視図
【図５】図１の実施例の油飛散防止器具の使用状態を示すフライパン天ぷら揚げ容器の平面図
【図６】図１の実施例の油飛散防止器具の使用状態を示す取り付け断面及び油飛散状態図
【考案を実施するための形態】
【０００８】以下、本発明の形態を説明する。
鉄板付きクリップと家庭用市販のアルミ箔と磁石により油飛散を防ぐ油飛散防止器具に関するものである。
（イ）実施する時は図２の鉄板付きクリップと磁石１を数個用意する。
（ロ）家庭用市販のアルミ箔図３と天ぷら油容器図４を用意する。
（ハ）フライパン又は天ぷら揚げ容器を用意する。
（ニ）各種の組み立ては図１の通りに行い揚げ物を入れ作業が進むと図６の通り、油が飛散し家庭用市販のアルミ箔に付着し油が油層に落下する。
（ホ）作業が終了すれば油層の温度が下がるのを待って磁石１を外し家庭用市販のアルミ箔２を外し、まるめて捨てる。又、鉄板付きクリップの「耐熱材８」は耐熱樹脂をはめこみ接合されている為早めの取り外しも可能である。
（ヘ）鉄板付きクリップ図２と磁石１は所定の場所へ保管する。
【実施例】
【０００９】鉄板付きクリップ図２を用意しそれを調理器具５にセットする、又家庭用市販のアルミ箔３を鉄板付きクリップ図２に廻し磁石１で固定した事を確認し油図４を注ぎ作業する。
【符号の説明】
【００１０】  １、磁石
２、家庭用市販のアルミ箔
３、鉄板付きクリップの鉄板
４、鉄板付きクリップ
５、調理器具（フライパン又はナベその他の調理器具）
６、油（天ぷら油）
７、飛散油（飛散する天ぷら油と落下する天ぷら油）
８、背面の耐熱材
９、ＩＨレンジ本体
１０、発熱部
１１、ＩＨレンジ本体操作部
0003224936.tif 000003
0003224936.tif 000004
【手続補正書】
【提出日】令和1年11月6日(2019.11.6)
【手続補正１】
【補正対象書類名】実用新案登録請求の範囲
【補正対象項目名】全文
【補正方法】変更
【補正の内容】
【実用新案登録請求の範囲】
【請求項１】
油飛散防止器具において調理器具に鉄板付きクリップを付属し家庭用市販のアルミホイルを磁石により挟み調理器具内に飛散油を落とす油飛散防止器具。
【請求項２】
前記調理器具に複数個の鉄板付きクリップと磁石でアルミホイルを固定し、又、調理器具は高温になる為鉄板付きクリップの背面に耐熱材が接合された請求項１に記載の油飛散防止器具。
【手続補正２】
【補正対象書類名】図面
【補正対象項目名】全図
【補正方法】変更
【補正の内容】
【図１】
0003224936.tif 000005
【図２】
0003224936.tif 000006
【図３】
0003224936.tif 000007
【図４】
0003224936.tif 000008
【図５】
0003224936.tif 000009
【図６】
0003224936.tif 000010
(57)【要約】      （修正有）【課題】小包や封書で配送する場合に１つの大きな袋や封書用紙を用意し、その袋や封書用紙に配送すべき物品や手紙を一括して収納すると共に、その袋や封書の表面側に透明色のシート状部材で、はがき収納部兼宛先部を形成し、はがき収納部兼宛先部に宛先を記入した絵はがきなどを収納し、もって複数物品や複数の封書等と共に、はがき収納部兼宛先部に宛先を記入したはがきなどを収納して送ることの出来る複数収納部を有する配送用部材を提供する。【解決手段】複数収納部を有する配送用部材は、内部に第１収納部２を有する袋体１と、袋体１の表面部に取り付けられた第２収納部兼宛先部３を有し、第２収納部兼宛先部３は透明色のシート状部材で形成されてなり、第１収納部２には立体状の部品が収納可能とされ、第２収納部兼宛先部３には、宛先が記入された葉書用紙が宛先を表面側にして収納可能とされた。【選択図】図１
0003224949.tif 000002
【実用新案登録請求の範囲】
【請求項１】
内部に第１収納部を有する袋体と、該袋体の表面部に取り付けられた第２収納部兼宛先部を有し、前記第２収納部兼宛先部は透明色のシート状部材で形成されてなり、
前記第１収納部には立体状の部品が収納可能とされ、前記第２収納部兼宛先部には、宛先が記入された葉書用紙が前記宛先を表面側にして収納可能とされた、
ことを特徴とする複数収納部を有する配送用部材。
【考案の詳細な説明】
【技術分野】
【０００１】
本考案は複数の収納部を有する配送用部材に関するものである。
【背景技術】
【０００２】
従来より、郵便物などに用いられる配送用部材としては小包用の袋や封書用の用紙などがある。しかし、小包用の袋や封書用の用紙で配送物を送る場合には、１つの袋や封書を用意し、その袋や封書に配送すべき物品や手紙をそれぞれ収納して単体で送付しなければならなかった。
【０００３】
また、配送の宛名を記載した絵はがきなどは前記小包内に収納してしまうと、その宛名を外部から確認することが出来ないものとなる。よって、絵はがきや通常のはがきについても別の小包や封書と一緒にして送ることは想定されていなかった。
【０００４】
よって、例えば、絵はがきの表紙側に宛名が記載されていてもそれを小包や封書と一緒に送付することを想定して小包や封書内にそれを収納してしまうと、せっかく記載した宛名が利用できないばかりか、再び宛名を小包や封書の表紙側に記載しなければならないとの課題があった。
【先行技術文献】
【特許文献】
【０００５】
【特許文献１】特開２０１２−１３５８８７号公報
【考案の概要】
【考案が解決しようとする課題】
【０００６】
かくして、本考案は前記従来の課題に鑑みて案出されたものであり、小包や封書で配送する場合において、１つの大きな袋や封書用紙を用意し、その袋や封書用紙に配送すべき物品や手紙を一括して収納すると共に、その袋や封書の表面側に透明色のシート状部材で、はがき収納部兼宛先部を形成し、該はがき収納部兼宛先部に宛先を記入した絵はがきなどを収納し、もって複数物品や複数の封書等と共に、前記はがき収納部兼宛先部に宛先を記入したはがきなどを収納して送ることの出来る複数収納部を有する配送用部材を形成することを目的とするものである。
【課題を解決するための手段】
【０００７】
本考案による複数収納部を有する配送用部材は、内部に第１収納部を有する袋体と、該袋体の表面部に取り付けられた第２収納部兼宛先部を有し、前記第２収納部兼宛先部は透明色のシート状部材で形成されてなり、
前記第１収納部には立体状の部品が収納可能とされ、前記第２収納部兼宛先部には、宛先が記入された葉書用紙が前記宛先を表面側にして収納可能とされた、
ことを特徴とするものである。
【考案の効果】
【０００８】
本考案による複数収納部を有する配送用部材であれば、小包や封書で配送する場合において、１つの大きな袋や封書用紙を用意し、その袋や封書用紙に配送すべき物品や手紙をそれぞれ収納すると共に、その袋や封書の表面に透明のシート状部材で、はがき収納部兼宛先部を形成し、該はがき収納部兼宛先部に宛先を記入して収納し、もって複数物品や複数の封書を前記はがき収納部兼宛先部に宛先を記入してはがきをも送ることの出来る複数収納部を有する配送用部材を提供できるとの優れた効果を奏する。
【図面の簡単な説明】
【０００９】
【図１】本考案の構成を説明した説明図である。
【考案を実施するための形態】
【００１０】
以下、本考案を図に示す実施例に基づいて説明する。
図1に示すように、本考案の複数収納部を有する配送用部材は、内部に第１収納部2を有する袋体1と、該袋体1の表面部に取り付けられた第２収納部兼宛先部３を有し、前記第２収納部兼宛先部３は、透明色のシート状部材で形成されている。
【００１１】
ここで、袋体１の材質のついては何ら限定されないが、紙材あるいはプラスチック部材あるいは布材などいずれの部材でも構わない。また、内部には、例えば指輪4やネックレス5あるいはペンダント6などの装飾品類あるいはベーゴマ、メンコ、けん玉などの遊び道具など嵩張る立体的な物品が収納できる大きさと厚さに構成しておくのが好ましい。また、比較的嵩張る立体的物品を収納する場合には、破れにくい材質で袋体１を構成することが好ましい。
【００１２】
次に、第２収納部兼宛先部３には、透明色のシート状部材で内部に収納スペースが出来るように例えば、略方形状の袋体になるよう形成するものとする。
【００１３】
そして、第２収納部兼宛先部３に宛先が記入された葉書用紙などが収納できるものとなっている。この収納された葉書用紙には表面に宛先をあらかじめ記入されており、しかも第２収納部兼宛先部３が透明色のシート状部材で形成されているため外側から明瞭に可視できる。
【００１４】
よって、あらためて宛先を書く必要がなく、第２収納部兼宛先部３内に収納した葉書用紙の宛先が利用できるものとなる。尚、第２収納部兼宛先部３内には葉書用紙を1枚だけではなく、複数枚収納できるものとなっており、例えば景色の異なる絵はがきを複数枚収納して送ることが出来る。
【符号の説明】
【００１５】
１    袋体
２    第１収納部
３    第２収納部兼宛先部
４    指輪
５    ネックレス
６    ペンダント
【図１】
0003224949.tif 000003
(57)【要約】      （修正有）【課題】病人やけが人が使用する電動ベッドや折りたたみベッド等で、頭部を起した時に枕が簡単に落ちないようにするベルトを提供する。【解決手段】長さ約１〜１．２ｍ位の１本のベルトにアジャスター２個を取り付け、これを２本作製し、１セットとする。アジャスターで枕を通すための輪ａを作り、もう一つのアジャスターでベッドの骨組みに接続して固定するための輪ｂを作り、枕とベッドを一体化させる。【選択図】図１
0003224795.tif 000002
【実用新案登録請求の範囲】
【請求項１】
ベッドの頭部を起した時に、枕が下に転がり落ちないようにするために、ベルトとアジャスターを使って考案した主に病人・けが人用の枕落下防止を目的としたベルト。
【考案の詳細な説明】
【考案の詳細な説明】
【背景及び考案の概要】
入院中、ベッドを起すとすぐに枕が腰の辺りまで転がり落ちてくる。何度直してもいともあっさり落ちてくる。枕をたたいて平たくしても容赦なく落ちてくる。
ベッドの角度を浅くすれば解決するが、それではベッドを起した意味がなくなり、フラストレーションが溜まる。
これを解決するために極めて簡単で実用的なベルトを考案したものである。
【商品説明】
１．巾約２０〜３０ｍｍ、長さ約１〜１．２ｍほどのベルトの一方の端にアジャスターを    取り付ける。
２．このアジャスターにベルトを通し、枕が入るほどの輪を作る。
３．このアジャスターから少し離れた位置に、もう１個アジャスターを取り付ける。
４．３を２本作って１セットとする。
【使用説明】
１．完成品の写真（写真Ｎｏ．▲１▼）
写真左の比較的大きな輪（ａ）は枕を通すための輪であり、枕の大きさに合わせアジ    ャスターにより自由に調節できる。
２．右側の比較的小さな輪（ｂ）は、写真Ｎｏ．▲２▼のように解いて、
３．ベルトをベッドのパイプの内側から通して外側へ折り返し（写真Ｎｏ．▲３▼）、
４．再びアジャスターに通してベッドに固定する（写真Ｎｏ．▲４▼）。
５．最後に枕を輪（ａ）に通して、枕の位置確認を行い、輪（ｂ）のアジャスターで長さ    調節を行って作業完了（写真Ｎｏ．５）。
【考案の効果】
実際に使用してみると実に快適。私自身、入院期間中実体験済みで看護師や薬剤師等にも大変評判が良く、簡単な構造なのに驚きの目で高い評価をたくさんいただきました。又、入院経験のある孫娘が見舞に来たとき、これを目敏く見つけ大きな声で「これ凄くいい！これが欲しかった！！！」との嬉しい一言。これが後押しとなりこの度申請するに至った次第。
入院患者にとって嬉しい商品のひとつとして受け入れられれば幸いです。
【図１】
0003224795.tif 000003
【図２】
0003224795.tif 000004
【図３】
0003224795.tif 000005
【図４】
0003224795.tif 000006
【図５】
0003224795.tif 000007
【手続補正書】
【提出日】令和1年11月18日(2019.11.18)
【手続補正１】
【補正対象書類名】実用新案登録請求の範囲
【補正対象項目名】全文
【補正方法】変更
【補正の内容】
【実用新案登録請求の範囲】
【請求項１】
電動ベッドや折りたたみベッド等の頭部を起した時に、枕が下に転がり落ちないように
するために、ベルトとアジャスターを使って病人・けが人用の枕落下防止を目的としたベルト。
【手続補正２】
【補正対象書類名】明細書
【補正対象項目名】全文
【補正方法】変更
【補正の内容】
【考案の詳細な説明】
【技術分野】
【０００１】
ベルトとアジャスターのみを使用し、シンプルな構造で枕が落下しないように工夫したものである。
【背景技術】
【０００２】
入院中、ベッドを起すとすぐに枕が腰の辺りまで転がり落ちてくる。何度  直してもいともあっさり落ちてくる。枕をたたいて平たくしても容赦なく落ちてくる。ベッドの角度を浅くすれば解決するが、それではベッドを起した意味がなくなり、フラストレーションが溜まる。これを解決すべく考案したものである。
【図面の簡単な説明】
【０００３】
【図１】は完成図である。
【図２】はベッドに取り付けるために、ベルトの輪ｂを解いた状態の図である。
【図３】は解いたベルトをベッドに通している図である。
【図４】はアジャスターにベルトを通している図である。
【図５】はベッドに取り付け終わった図である。
【符号の説明】
【０００４】
ａは枕を通す輪である。
ｂはベッドのパイプ等に固定するための輪である。
(57)【要約】      （修正有）【課題】ゴミ袋の口を封じるのに適し、かつ廃棄時の環境負荷も小さい木製ピンチを提供する。【解決手段】木製ピンチ１は、長手方向の中間部を横断して形成されたばね用溝部１０ａが向かい合わせになるように対面配置された一対の長方木部材１０と、向かい合わせにされたばね用溝部１０ａの間隙に配置されるコイル部１１ａと、このコイル部１１ａの両端部から前方に延設され一対の長方木部材１０に挟持力を作用させる延設部１１ｂからなるばね部材１１とで構成されている。【選択図】図１
0003224720.tif 000002
【実用新案登録請求の範囲】
【請求項１】
長手方向の中間部を横断して形成されたばね用溝部が向かい合わせになるように対面配置された一対の長方木部材と、
向かい合わせにされた前記ばね用溝部の間隙に配置されるコイル部と、このコイル部の両端部から前方に延設され前記一対の長方木部材に挟持力を作用させる延設部からなるばね部材とで構成された木製ピンチ。
【請求項２】
請求項１において、
前記一対の長方木部材は、前記ばね用溝部よりも前方側が後方側よりも２倍以上長いことを特徴とする木製ピンチ。
【請求項３】
請求項１又は２において、
前記一対の長方体部木材は間伐材から形成されていることを特徴とする木製ピンチ。
【考案の詳細な説明】
【技術分野】
【０００１】
本発明は、木製ピンチに関する。
【背景技術】
【０００２】
ピンチ（洗濯バサミ）は次の特許文献に記載されているような形状をしており、一般に樹脂製である。
【先行技術文献】
【特許文献】
【０００３】
【特許文献１】特開2013-085945号公報
【考案の概要】
【考案が解決しようとする課題】
【０００４】
前記特許文献に記載されているようなピンチは、紐等に干された洗濯物を挟むのに適した形状であるが、閉じたときに互いに接触する挟持部の面積が小さいのでゴミ袋の口を封じる用途には適していない。また樹脂製なので廃棄持の環境負荷も高い。これに対して本考案は、ゴミ袋の口を封じるのに適し、かつ廃棄時の環境負荷も小さい木製ピンチを提供することを目的としている。
【課題を解決するための手段】
【０００５】
本考案は、木製ピンチであって、長手方向の中間部を横断して形成されたばね用溝部が向かい合わせになるように対面配置された一対の長方木部材と、向かい合わせにされた前記ばね用溝部の間隙に配置されるコイル部と、このコイル部の両端部から前方延設され前記一対の長方木部材に挟持力を作用させる延設部とからなるバネ部材とで構成されている。ここで前記一対の長方木部材は、前記ばね用溝部よりも前方側が後方側よりも２倍以上長いようにするとよい。
【考案の効果】
【０００６】
本発明による木製ピンチは、ゴミ袋等の口を封じるのが容易であり、かつ廃棄時の環境負荷も小さい。
【図面の簡単な説明】
【０００７】
【図１】（ａ）、（ｂ）はいずれも木製ピンチの全体斜視図である。
【図２】木製ピンチで封じられたゴミ袋の正面図である。
【考案を実施するための形態】
【０００８】
図１（ａ）、（ｂ）は本考案による木製ピンチのそれぞれ閉じた状態、開いた状態を示す全体斜視図である。また図２は木製ピンチで封じられたゴミ袋の正面図である。
【０００９】
木製ピンチは、長手方向の中間部を横断して形成されたばね用溝部が向かい合わせになるように対面配置された一対の長方木部材と、向かい合わせにされた前記ばね用溝部の間隙に配置されるコイル部と、このコイル部の両端部から前方延設され前記一対の長方木部材に挟持力を作用させる延設部とからなるバネ部材とで構成されている。ここでバネ部材のコイル部は、木製ピンチの開閉動作するときの長方木部材の支点になるとともに、ねじりに対する復元力を、木製ピンチの挟持力として作用させる。
【００１０】
前記一対の長方木部材は、前記ばね用溝部よりも前方側が後方側よりも２倍以上長くしておけば、木製ピンチが大きく開くので、ゴム袋を封じることが容易に行える。図１（ａ）でいえば、Ｌｘ＞２＊Ｌｙとすればよい。
またこの木製ピンチは、コンビニエンスストアー等で提供される商品袋等、各種袋を封じるのにも適する。
【００１１】
また前記一対の長方木部材は、間伐材で形成するようにしてコストを抑えてもよい。更に、木製ピンチと組み合わせられるゴミ袋は、紙、パルプ系素材や生分解プラスチック系素材からなる低環境負荷ゴミ袋とすれば、廃棄後に、木製ピンチとともに自然分解されるので、環境負荷も非常に低くなる。
【符号の説明】
【００１２】
１        木製ピンチ
１０      長方木部材
１０ａ    ばね用溝部
１１      バネ部材
１１ａ    コイル部
１１ｂ    延設部
２        ゴミ袋
【図１】
0003224720.tif 000003
【図２】
0003224720.tif 000004
(57)【要約】      （修正有）【課題】ペットボトルの飲料用容器型蓋を提供する。【解決手段】ペットボトル１のキャップ２を紙あるいは植物樹脂でコップ型に作成して、蓋兼用コップ３として使用する。【選択図】図１
0003224780.tif 000002
【実用新案登録請求の範囲】
【請求項１】
ペットボトルの飲料用容器型蓋
【請求項２】
ペットボトルのキャップをキャップ本体の素材を使用してコップ型に形成するか、ペットボトル本体のプラスチックを蓋に圧着もしくは接着してコップ付蓋とする
【考案の詳細な説明】
【考案の開示】
【考案が解決しようとする課題】
【０００１】店舗や自動販売機でペットボトル飲料水を購入する際、側にカップ等は販売されていない。第三者と分け合って飲むときに便利である。
【問題を解決するための手段】
【０００２】コップの水漏れを防ぐためにキャップ本体と容器を当初から結合して作成する。
【考案の効果】
【０００３】長時間に一人で数回に別けて飲む場合に菌の繁殖を軽減できる。
同行者と二人で分け合って飲める。
【図面の簡単な説明】
【０００４】
【図１】  本考案の全体図である
【図２】  本考案の側面図である
【符号の説明】
【０００５】１  ペットボトル本体
２  キャップ
３  容器（コップ）
【図１】
0003224780.tif 000003
【図２】
0003224780.tif 000004
【手続補正書】
【提出日】令和1年8月19日(2019.8.19)
【手続補正１】
【補正対象書類名】実用新案登録請求の範囲
【補正対象項目名】全文
【補正方法】変更
【補正の内容】
【実用新案登録請求の範囲】
【請求項１】
ペットボトルのキャップを紙あるいは植物樹脂でコップ型に作成して蓋兼用コップとして使用することを特徴とする、ペットボトルの飲料用容器型蓋。
【請求項２】
ペットボトルのキャップをキャップ本体の素材を使用してコップ型に形成するか、ペットボトル本体で使用している同種類のプラスチックを蓋に圧着もしくは接着してコップ兼用蓋とすることを特徴とする、ペットボトルの飲料容器型蓋。
(57)【要約】      （修正有）【課題】ラップフィルム剥離の為の剥離取りローラとラップフィルム引き出し長尺板の三点を一括収納した、食品包装用ラップフィルム三点セット容器を提供する。【解決手段】外形が数辺の角型又は円形をしたローラーのロール面に粘着剤を塗布するか、又は片面粘着紙を巻き付け、内面に軸受をもった筐体をカバーとし、前面をローリングする為に開口し、底面を平面に定置面とし、左右外壁に滑り止め加工を施した手持面を設定し、背面に回転軸をもって筐体を二分して開閉しローラーの出し入れを可能にする構造。【選択図】図１
0003224785.tif 000002
【実用新案登録請求の範囲】
【請求項１】
図１に示す如く外形が数辺の角型又は円形をしたローラーのロール面に粘着剤を塗布するか、又は片面粘着紙を巻き付け、内面に軸受をもった筐体をカバーとし、前面をローリングする為に開口し、底面を平面に定置面とし、左右外壁に滑り止め加工を施した手持面を設定し、背面に回転軸をもって筐体をニ分して開閉しローラーの出し入れを可能にする構造をもった、ラップフィルム剥離の為の剥取りローラー。
【請求項２】
実施例２及び図３に表示する如く、食品包装用ラップフィルム容器に内包するラップフィルムの長尺方に隣接して、隔壁をもって［請求項１］の剥取りローラーの収納室を設定し、食品包装用ラップフィルム容器の蓋と前側面が接する間の空間を通常より広くして、ラップフィルム引き出し長尺板（実願２０１９−２５３９）の収納空間とした、食品包装用ラップフィルム三点セット容器。
【考案の詳細な説明】
【技術分野】
【０００１】  食品包装用ラップフィルム等薄手のラップフィルムはロール巻き戻りや折り重ね等自己接着した場合、その境目は透明で見分けにくく、手で剥離することは非常に困難を要している現状を解決するため、簡単な一動作で剥離出来る用具に関する。
【背景技術】
【０００２】  ラップフィルムが自己接着した場合、一般にセロテープをもって剥離する様に説明されていたり、容器に接着装備された引き出しシールを使用する様に指示されているが、いずれも小さな粘着紙であり、境目の見えない数か所の点を求めて接着を繰り返し、剥離できても更にその粘着紙を剥がす必要があり、ラップフィルムを損傷する等困難な現状である
【先行技術文献】
【特許文献】
【０００３】
【特許文献１】実願２０１９−２５３９
【非特許文献】
【０００４】
【非特許文献１】旭化成ホームプロダクツ株式会社  サランラップ容器ラベル及び表示文。
【考案の開示】
【考案が解決しようとする課題】
【０００５】  前述のようにラップフィルム巻き戻りや折り重った場合に、一動作で剥離する剥離用具  を提供する事を課題とする。
【課題を解決するための手段】
【０００６】  本考案では手持ちで軽量なローラーのロール面に粘着剤を塗布するか、片面粘着紙を巻き付けた手持ちローラーを、ラップフィルムが自己接着したと思われる付近をローリングする一動作で自動的に剥離引き離しを可能とする。【０００７】    そのローラーの形状は、円形でも可能であるが、ラップフィルムのロール巻きの円と  手持ちローラーの円との接点は小さく自己接着が強い時は剥離できない事があり、ロー  ラーの形状を５乃至６角の角形とし各辺の平面接着によりいかなる場合にも剥離力が強  い効果が認められる。
【考案の効果】
【０００８】  本考案になる剥取りローラーを使用するときはラップフィルムの巻き戻りや折り重ねでその境目が見えない場合でも面上をローリングする一動作で剥離引き上げが容易である事はセロテープ類で数回の点で粘着を繰り返し、剥離後もそのテープを離す手間がかかる事と比べると格段の便益が認められる。
【考案を実施するための最良の形態】
【実施例１】
【０００９】  その形態は回転軸をもったローラーのロール面に粘着剤を塗布するか片面粘着紙を巻き付け、内側に軸受を設けた筐体をカバーとし、その前面一部をローリングするために開放し、底面は平面として定置面とし、左右外壁に滑り止めの持手面を設け、背面に回転軸をもって筐体を二分してローラーの出入を可能とする如く構成する。。
【実施例２】
【００１０】  本剥取りローラーは最も多く食品包装用ラップフィルムと付属的に使用されるが、同様に付属的に使用されるラップフィルム引き出し長尺板（実願２０１９−２５３９）と共に食品包装用ラップフィルム容器に同封する事は大いにユーザーの便益に資するものであると思われる。【００１１】  即ち、食品包装用ラップフィルムの容器に内包されたラップフィルムの長尺方に隣接する位置に隔壁をもって剥取りローラーの収納室を設け、容器の蓋をしめたときに前側面と蓋との間を通常より広く設定した空間をラップフィルム引き出し長尺板の収納部とした食品包装用ラップフィルム三点セット容器を構成する。
【図面の簡単な説明】
【００１２】
【図１】剥取りローラーのａ側面図  ｂ正面図  ｃ平面図。
【図２】ロール巻フィルム剥離動作の実態図であって、ａは粘着テープの場合テープが密着している状態  ｂは剥離ローラーの場合自動的に引き離された状態を示す。
【図３】食品包装用ラップフィルム三点セット容器の実態斜視図。
【符号の説明】
【００１３】１  剥離ローラーの筐体
２  粘着ローラー
３  持手面
４  ラップフィルム
５  剥離用テープ
６  食品包装用ラップフィルム三点セット容器
７  ラップフィルム引き出し長尺板
【図１】
0003224785.tif 000003
【図２】
0003224785.tif 000004
【図３】
0003224785.tif 000005
【手続補正書】
【提出日】令和1年10月31日(2019.10.31)
【手続補正１】
【補正対象書類名】実用新案登録請求の範囲
【補正対象項目名】全文
【補正方法】変更
【補正の内容】
【実用新案登録請求の範囲】
【請求項１】
外形が数辺の角型又は円形をしたローラーのロール面に粘着剤を塗布するか、又は片面粘着紙を巻き付け、内面に軸受をもった筐体をカバーとし、前面をローリングする為に開口し、底面を平面に定置面とし、左右外壁に滑り止め加工を施した手持面を設定し、背面に回転軸をもって筐体をニ分して開閉しローラーの出し入れを可能にする構造をもった、ラップフィルム剥離の為の剥取りローラー。
【請求項２】
食品包装用ラップフィルム容器に内包するラップフィルムの長尺方に隣接して、隔壁をもって［請求項１］の剥取りローラーの収納室を設定し、食品包装用ラップフィルム容器の蓋と前側面が接する間の空間に、ラップフィルムを粘着して引き出す為のラップフィルム引き出し長尺板を収納した、ラップフィルムと剥ぎ取りローラーとラップフィルム引き出し長尺板の三点を一括収納した、食品包装用ラップフィルム三点セット容器。
(57)【要約】      （修正有）【課題】ゴルフマーカーにおいて、鏡面をつける事で実用性とファッション性を兼ねるミラーマーカーを提供する。【解決手段】鏡と、形状の異なる２種の樹脂から成るミラーマーカーであり、鏡と２種の樹脂とを、強力両面テープで接着させて完成形にし、鏡のサイズを見やすい限界サイズにし、ふちの樹脂の幅を広げることで接着面を大きくし強度を高める形状にし、機能性のマーカーに、鏡が裏面に付けたファッションチェックの出来る実用性を兼ね備える。【選択図】図４
0003224781.tif 000002
【実用新案登録請求の範囲】
【請求項１】
樹脂と鏡からなるミラーマーカーにおいて、鏡の大きさとふちの幅の比率により接着面の強度を高め、従来の機能性のマーカーに、ファッションチェックの出来る実用性を兼ね備えるミラーマーカー。
【考案の詳細な説明】
【技術分野】
【０００１】  本考案は、樹脂と鏡からなるゴルフのマーカーに関する。
【背景技術】
【０００２】  ゴルフのグリーン上で他者が打つ際の防害にならない様、自分のボールの場所の目印とするものである。
【考案の概要】
【考案が解決しようとする課題】
【０００３】  自分の身なりを簡単にチェック出来る様に、ゴルフプレイ中に必ず使うマーカーに鏡をつけた。鏡を大きくすると周囲のふちの樹脂の幅が狭くなり、接着面強度に不安が生じるのが欠点である。
【課題を解決するための手段】
【０００４】  本考案は、鏡のサイズを見やすい限界サイズにし、ふちの樹脂の幅を広げることで接着面を大きくし強度を高める形上にしたことで、上記課題を解決するものである。
【考案の効果】
【０００５】  本発明に係るミラーマーカーは、従来のゴルフマーカーとしての機能をもちつつ、プレイ中の自己身だしなみチェックのための道具としても機能を兼ね、実用性に優れたものである。
【図面の簡単な説明】
【０００６】
【図１】本考案に係るミラーマーカーの一部を構成する鏡部である。
【図２】本考案に係るミラーマーカーの一部を構成する樹脂部である。
【図３】本考案に係るミラーマーカーの側面図である。
【図４】本考案に係るミラーマーカーの正面、真上から見た図である。
【考案を実施するための形態】
【０００７】  図１鏡部を上にして図２の樹脂にのせ、周囲にふちの樹脂を合わせて強力な両面テープで接着する。
【０００８】  上記工程により完成した本考案のミラーマーカーは、片面が従来のマーカー、裏面がミラーのついたチェック機能のある面と、２つの利点実用性を兼ね備えることができる。
【図１】
0003224781.tif 000003
【図２】
0003224781.tif 000004
【図３】
0003224781.tif 000005
【図４】
0003224781.tif 000006
【手続補正書】
【提出日】令和1年10月30日(2019.10.30)
【手続補正１】
【補正対象書類名】実用新案登録請求の範囲
【補正対象項目名】全文
【補正方法】変更
【補正の内容】
【実用新案登録請求の範囲】
【請求項１】
鏡と、形状の異なる２種の樹脂から成るミラーマーカーであり、前記鏡と２種の樹脂とを、強力両面テープで接着させて完成形にし、鏡のサイズを見やすい限界サイズにし、ふちの樹脂の幅を広げることで接着面を大きくし強度を高める形状にし、機能性のマーカーに、鏡が裏面に付けたファッションチェックの出来る実用性を兼ね備えるミラーマーカー。
(57)【要約】      （修正有）【課題】オートマチック車運転中のブレーキとアクセルの踏み間違いを未然に防止できる安全装置を提供する。【解決手段】ＡＴ車アクセル誤踏み込み防止安全装置は、運転席下に位置するアクセルペダル１と床との間に設置される。本装置は、作動水タンク２と漏水タンク７とで構成されたタンク本体に水頭用ビニールホース１１が連通して接続され、タンク本体は台座９によって床に固設されている。作動水タンク２と漏水タンク７とには水が充填されていて、アクセルペダルをブレーキ並みの強力なパワーで踏み込むと、作動水タンクに充満された作動水は非圧縮体なるが故に、作動水タンクの反発によるストッパー機能が働きアクセルペダルの下方移動による踏み込みを阻止する。運転者はアクセルペダルのブロック状態に気付くことで、ブレーキペダルに踏み変えて暴走を逃れることができる。【選択図】図１
0003224751.tif 000002
【実用新案登録請求の範囲】
【請求項１】
アクセルペダル下方に装填するＡＴ車アクセル誤踏み込み防止安全装置であって、
アクセルペダルの操作により充填された作動水の流入出を規制する作動水タンクと、
前記作動水タンクの作動水を受け入れる漏水タンクと、を有し、
アクセルペダルの踏み込みにより、前記作動水タンク内の作動水を前記漏水タンク内に流入するスピール穴と、
アクセルペダルの踏み込み解除により、前記漏水タンク内の作動水を前記作動水タンク内に還流するリターン弁と、
が設けられていることを特徴とするＡＴ車アクセル誤踏み込み防止安全装置。
【請求項２】
アクセルペダルの操作を契機として上下動するスライド弁と、
スライド弁による上下動により開放又は封止される同圧用スライド弁と、
が設けられ、
前記同圧用スライド弁の封止によりスライド弁の移動を規制して、アクセルペダルの踏み込みを防止することを特徴とする請求項１記載のＡＴ車アクセル誤踏み込み防止安全装置。
【考案の詳細な説明】
【技術分野】
【０００１】
本考案は、オートマチック車（ＡＴ車）運転中におけるブレーキとアクセルの踏み間違いによる急発進を未然に防止し、事故を防ぐ装置である。
【背景技術】
【０００２】
現在、オートマチック車の安全運転は、ドライバーの感覚だけで行っており、安全装置は無に等しい。特に、オートマチック車のアクセル操作は、踏み込みによって全能力のパワー出力が可能となっており、このパワーが人為的誤操作による重大事故を引き起こしている。
【考案の概要】
【考案が解決しようとする課題】
【０００３】
オートマチック車運転中、事故に至らないまでもヒヤリ体験者は多く、ブレーキとアクセルの踏み間違いは高齢者ドライバーに顕著である。本装置により未然に防止できる。
【課題を解決するための手段】
【０００４】
本装置をアクセルの下部に装填することにより、ブレーキ踏み込み並みの脚力で瞬時に踏み込んだとき、本装置がストッパーとなり暴走を阻止し、ドライバーは自分の誤操作に気付きブレーキに踏みかえ、安全に停止できる。
【考案の効果】
【０００５】
本装置をアクセルペダル下方に装填することで、アクセル本来の機能を阻害することなく急発進を回避することができ、初心者及び中高齢者による事故率が激減する。
【図面の簡単な説明】
【０００６】
【図１】本考案の実施形態に係るＡＴ車アクセル誤踏み込み防止安全装置を車体に取り付けた状態を示す概略図。
【図２】本考案の実施形態に係るＡＴ車アクセル誤踏み込み防止安全装置の構成略図。
【考案を実施するための形態】
【０００７】
以下、本考案の実施形態について図面に基づいて説明する。
【０００８】
図１は、ＡＴ車アクセル誤踏み込み防止安全装置を車体に取り付けた状態を示しており、運転席下に位置するアクセルペダル１と床との間に本装置を設置する。本装置は、作動水タンク２と漏水タンク７とで構成されたタンク本体に必要に応じて水頭用ビニールホース１１が連通して接続され、タンク本体は台座９によってボルト等により床に強固に固設されている。アクセルペダル１と本装置との間隔は、アクセルペダル１の踏み込みによってアクセルが作動するまでの遊び程度として設計上規定する。なお、本装置と床との固設をより強固にするために、固定バンド（不図示）をタンク本体に周回して床に固設してもよい。
【０００９】
図２は、ＡＴ車アクセル誤踏み込み防止安全装置の構成例として、作動水タンク２と漏水タンク７とで構成されたタンク本体内部の概略を示している。なお、水頭用ビニールホース１１は省略している。
【００１０】
作動水タンク２と漏水タンク７とには、水（作動水）が充填されていて、作動水タンク２内の水はスピール穴４を通じて漏水タンク７内に流入でき（図中左矢印）、漏水タンク７内の水はリターン弁６を通じて作動水タンク２内に流入できるようになっている（図中右矢印）。
【００１１】
アクセルペダル１をブレーキ並みの強力なパワーで踏み込んだとする。すると、作動水タンク２が押圧されようとするが、作動水タンク２に充満された作動水は非圧縮体なるが故に、作動水タンク２の反発によるストッパー機能が働きアクセルペダル１の下方移動による踏み込みを阻止する。その間の作動水タンク２内の作動水は、スピール穴４により漏水タンク７に流入しているが、運転者はアクセルペダル１のブロック状態に気付くことで、ブレーキペダルに踏み変えて暴走を逃れることができる。
【００１２】
正常なスタート時は、アイドリング回転によりスローで動きだし、パワーＯＮのとき、作動水タンク２を押し下げて加速する間に、作動水は漏水タンク７に移動することで、作動水タンク２がより下方に押し下げられてスライド弁３を押し下げ、同圧用スライド弁５が開放されている限り作動水タンク２と漏水タンク７とは同圧となり、運転者のアクセルペダル１の踏み込み力を軽減でき、通常ドライブ状態となる。アクセルペダル１を一定以上まで踏み込むと、スライド弁３が同圧用スライド弁５を塞いで封止し、アクセルペダル１の下方移動を阻止する。ブレーキ操作の際には、押圧が解除された作動水タンク２は弾性により復元するとともに、スライド弁３はスライド弁用スプリング１２による復元作用により上方に移動し、漏水タンク７の水はリターン弁６を通じて作動水タンク２に戻って充満される。これにより初期状態となり、常時暴走防止の態勢を整える。
【産業上の利用可能性】
【００１３】
本考案は、オートマチック車（ＡＴ車）運転中におけるブレーキとアクセルの踏み間違いによる急発進を防止するものとして産業上有用である。
【符号の説明】
【００１４】
１  アクセルペダル
２  作動水タンク
３  スライド弁
４  スピール穴
５  同圧用スライド弁
６  リターン弁
７  漏水タンク
９  台座
１１  水頭用ビニールホース
１２  スライド弁用スプリング
【図１】
0003224751.tif 000003
【図２】
0003224751.tif 000004
(57)【要約】【課題】製造工程の複雑化を招くことなく製造可能な、滑り止め効果を有する敷きパッドを提供する。【解決手段】表地２と中綿材３と裏地４と滑り止め生地５とを順次重ね合わせてキルティングを施して一体化する。滑り止め生地５は裏地４の全面に亘り設けられている。滑り止め生地５は塩化ビニル樹脂製の網目状の摩擦シートとすることができる。【選択図】図２
0003224739.tif 000002
【実用新案登録請求の範囲】
【請求項１】
表地と中綿材と裏地と滑り止め生地とを順次重ね合わせてキルティングを施し一体化してなり、前記滑り止め生地は前記裏地の全面に亘り設けられていることを特徴とする敷きパッド。
【請求項２】
滑り止め生地は塩化ビニル樹脂製の網目状の摩擦シートである請求項１に記載の敷きパッド。
【考案の詳細な説明】
【技術分野】
【０００１】
本考案は、滑り止め効果を有する敷きパッドに関する。
【背景技術】
【０００２】
従来、滑り止め効果を有する敷きパッドとして、表生地と裏生地と、表生地と裏生地とに挟まれた中綿とを有し、裏生地の敷き布団やベッドマットとの接触面に、ポリエステル樹脂が点在して配されており、接触面の単位面積あたりの、ポリエステル樹脂が占める面積の割合を所定の割合としたものがある（特許文献１）。
【０００３】
かかる敷きパッドを製造するには、従来の製造方法により得られた敷きパッド裏面側に、スクリーンプリントの型枠を設置し、ポリエステル樹脂を型枠に流して塗布し、乾燥させてポリエステル樹脂を固着するスクリーンプリント技法により製造する。表生地と中綿と裏生地とを重ね合わせ、キルティング工程等により敷きパッドを製造し（ここまでは従来の製造工程）、さらに、スクリーンプリント技法により、滑り止め剤を固着しなければならない。このように、キルティング工程に加えて、さらに、スクリーンプリント工程を要するため、製造工程が複雑化し、コストアップにつながる。
【先行技術文献】
【特許文献】
【０００４】
【特許文献１】実用新案登録第３２０７４７３号公報
【考案の概要】
【考案が解決しようとする課題】
【０００５】
そこで、本考案は、製造工程の複雑化を招くことなく製造可能な、滑り止め効果を有する敷きパッドを提供することを目的とする。
【課題を解決するための手段】
【０００６】
上記課題を解決するために、請求項１に係る敷きパッドは、表地と中綿材と裏地と滑り止め生地とを順次重ね合わせてキルティングを施して一体化してなり、前記滑り止め生地は前記裏地の全面に亘り設けられていること、を特徴としている。
請求項２に係る考案は、滑り止め生地を塩化ビニル樹脂製の網目状の摩擦シートとしたものである。
【考案の効果】
【０００７】
請求項１に係る考案によれば、表地と中綿材と裏地と滑り止め生地とを順次重ね合わせてキルティングを施して一体化してなるもので、製造工程上キルティング工程だけであるので、製造工程が複雑化することがない。また、滑り止め生地が裏地の全面に亘り設けられているので、敷きパッドの全面で滑り止め効果をもつ。一部に設けた場合には、滑り止め効果が不十分なことがあるが、このようなことがない。
一部にのみ滑り止め生地を設ける場合には製造工程上の問題からキルティングできるキルトパターンに制約があるが、全面に設けるようにすれば、キルティングの制約がないことから、自由な柄やキルトパターンのキルティングが可能となる。
請求項２に係る考案によれば、滑り止め生地を塩化ビニル樹脂製の網目状の摩擦シートとしたので、安価に入手でき、コストもそれ程かからない。
【図面の簡単な説明】
【０００８】
【図１】実施例による敷きパッドの底面図である。
【図２】実施例による敷きパッド材の重ね合わせの様子を示す下方から見た分解斜視図である。
【考案を実施するための形態】
【０００９】
以下、本考案の実施例を図面に基づいて具体的に説明する。本考案に係る敷きパッド１は、表地２と中綿材３と裏地４と滑り止め生地５とを順次重ね合わせて（図２）キルティングを施して一体化してなるものである。ここで、滑り止め生地５は裏地４の全面に亘り設けてある。
【００１０】
表地２としては、ポリエステルや綿製などが一般的であるが、素材はこれらに限定されるものではない。プリント等により様々な柄や模様が施されたもの、保温性の生地、冷感素材の生地など、その用途に応じて適宜のものが用いられる。中綿材３としては、ポリエステルや綿製などで、クッション性や保温性を高めたものなど、その用途に応じて適宜の特性を有するものが用いられる。裏地４としては、ポリエステルや綿製などで、一般には無地のものが用いられる。
【００１１】
滑り止め生地５としては、塩化ビニル樹脂製の摩擦シートが好ましい。通気性を有する網目状のシート材でその交点部分が摩擦材として機能する。かかる塩化ビニル樹脂製の摩擦シートは安価に入手できるので、大きなコストアップとならない。滑り止め生地５は、裏地４の全面に亘り設けられるので、敷きパッド１の全体で滑り止め効果をもつ。このため、敷きパッド１のどこに座ったり、寝たりしても敷きパッドがずれることがない。
【００１２】
製造工程としては、表地２と中綿材３と裏地４と滑り止め生地５とを重ね合わせて、キルティングを施す。このように各生地を重ね合わせてキルティング加工するだけであるので、余計な工程を設ける必要がなく、一般的なキルティング加工機を用いて従来のキルティング工程と同様の工程により製造できる。このため、裏地にスクリーンプリント加工を施すような特殊な工程を設ける必要がなく、製造工程上、コストアップとならない。
また、従来のキルティング加工機をそのまま利用でき、滑り止め生地５を全面に設けるので、キルティングの制約なく、自由な柄やキルトパターンのキルティングが可能である。
【００１３】
なお、敷きパッド１の周囲は縁布７によって包被して縫製してある。また、敷きパッド１の滑り止め生地（底面）の四隅には、弾性材からなる帯状体（ゴムテープ）８を隣接する二辺にわたって斜めに取り付けることができる。図１では帯状体（ゴムテープ）を各隅に１本ずつ計４本取付けたものを示したが、各隅に２本ずつ計８本取付けてもよいし、横に２本取付けるなど、その取付け箇所は適宜設定すればよい。このように帯状体（ゴムテープ）を取付けることにより、敷布団やベッドのマットレスへの敷きパッド１の着脱が簡単に行え、また、装着した布団やマットレスから敷きパッド１がずれることを防止でき、快適に使用できる。なお、上記は帯状体（ゴムテープ）を取付けた場合を述べたが、取付けない場合もある。
【符号の説明】
【００１４】
１  敷きパッド
２  表地
３  中綿材
４  裏地
５  滑り止め生地
６  キルティング
７  縁布
８  帯状体（ゴムテープ）
【図１】
0003224739.tif 000003
【図２】
0003224739.tif 000004